(57)【要約】【課題】身体に装着可能で、発汗状態に影響されずに発汗速度や汗中の特定成分濃度を確実にまた連続して測定できる生体情報計測装置を提供する。【解決手段】生体情報計測装置１は、汗８を採取する採取部１０と、始端２０ａが採取部１０に連通して採取部１０で採取した汗８を流動すると共に終端２０ｂが大気に開放される流路２０と、汗中の水分に吸収される波長の光を流路２０に照射する光源部３０と、流路２０を透過した光を受光する受光部４０と、受光部４０で受光した光の強度変化を所定時間ごとに検出し、所定時間に対応して流動した汗８の量により発汗速度を算出する発汗速度処理部７１と、を備えている。【選択図】図２Ｂ
2017198577.tif 000002
【特許請求の範囲】
【請求項１】
汗を採取する採取部と、
始端が前記採取部に連通して前記採取部で採取した前記汗を液滴化して流動すると共に終端が大気に開放される流路と、
前記汗中の水分に吸収される波長の光を前記流路に照射する光源部と、
前記流路を透過した前記光を受光する受光部と、
前記受光部で受光した前記光の強度変化を所定時間ごとに検出し、当該所定時間に対応して流動した汗の量により発汗速度を算出する発汗速度処理部と、
を備えていることを特徴とする生体情報計測装置。
【請求項２】
請求項１に記載の生体情報計測装置であって、
前記光源部は前記流路に沿って所定間隔で設置される光源素子を有し、
前記受光部は前記光源素子のそれぞれの光を検出する受光素子を有し、
前記発汗速度処理部は、
前記所定時間ごとに前記所定間隔の位置での前記光の強度変化を検出して前記汗の有無を判断する汗位置判断部と、
前回汗が検出された前記位置から次に汗が検出された前記位置までの流路長に対応する汗の量、および前回の前記位置から次の前記位置を検出するまでの経過時間により、前記発汗速度を算出する発汗速度算出部と、
を有することを特徴とする生体情報計測装置。
【請求項３】
請求項１または請求項２に記載の生体情報計測装置であって、
前記流路に照射する前記光は、近赤外光であることを特徴とする生体情報計測装置。
【請求項４】
請求項１〜請求項３のいずれか一項に記載の生体情報計測装置であって、
前記流路は複数の屈曲部を備えていることを特徴とする生体情報計測装置。
【請求項５】
請求項１〜請求項４のいずれか一項に記載の生体情報計測装置であって、
前記流路から分岐した流路に設置され、前記汗に含まれる特定成分の濃度を算出するための情報を検出する成分濃度検出部と、
前記成分濃度検出部で検出した前記情報により前記濃度を算出する成分濃度処理部と、
を備えていることを特徴とする生体情報計測装置。
【請求項６】
請求項５に記載の生体情報計測装置であって、
前記発汗速度および前記特定成分の濃度により、前記特定成分の分泌速度を算出する分泌速度処理部を更に備えていることを特徴とする生体情報計測装置。
【請求項７】
請求項６に記載の生体情報計測装置であって、
前記特定成分は乳酸であることを特徴とする生体情報計測装置。
【請求項８】
請求項６または請求項７に記載の生体情報計測装置であって、
前記特定成分はナトリウムを含んでいることを特徴とする生体情報計測装置。
【請求項９】
請求項１〜請求項８のいずれか一項に記載の生体情報計測装置であって、
前記採取部を皮膚表面に固定する固定部を備えていることを特徴とする生体情報計測装置。
【発明の詳細な説明】
【技術分野】
【０００１】
本発明は、汗に由来する情報を取得可能な生体情報計測装置に関する。
【背景技術】
【０００２】
通常、運動時は脈拍とともに発汗状態が変化する。発汗状態は運動環境や運動前のコンディションに影響されるものの、運動状態にも影響される。従って、運動以外の因子を補正できれば、発汗情報は運動に相関する指標となりうる。しかしながら生体の発汗量は微量であるため、微量の汗を採取する技術が必要となる。
【０００３】
微量の汗を採取する方法として、非特許文献１に示すように、らせん状の細いチューブを発汗位置に装着し、その内部に汗を採取する製品であるＭＡＣＲＯＤＵＣＴを用いる方法が挙げられる。採取された汗試料を取り出して分析することで、汗中の成分濃度を測定できる。
【０００４】
また、発汗速度を測定する装置として、特許文献１では、計測部に気体を導入し、気体の湿度差から発汗速度を算出する機器が提案されている。特許文献２では、流路内に複数のセンサーを設け、センサーへの汗到達速度差から発汗速度を算出する方法が提案されている。
【０００５】
また、特許文献３では、複数の流路や吸引機構を用い、センサーへの汗到達時間差から発汗速度を算出する装置が提案されている。吸引機構を設けることで最小限のセンサーであっても、間欠的に発汗速度を算出することができる。
【先行技術文献】
【特許文献】
【０００６】
【特許文献１】特公平６−１２１号公報
【特許文献２】特開２００９−１３６５２６号公報
【特許文献３】特開２０１０−２０７３３５号公報
【非特許文献】
【０００７】
【非特許文献１】ＷＥＳＣＯＲ社のウェブサイ”Biomedical Product Division:Sweat Testing/Cystic Fibrosis” インターネット＜URL:http://www.wescor.com/biomedical/cysticfibrosis/index.html#＞
【発明の概要】
【発明が解決しようとする課題】
【０００８】
特許文献１に記載されているように、血中の成分濃度の変化が一定でも、発汗速度が遅いと汗中の成分濃度は濃くなり、発汗速度が速いと汗中の成分濃度は薄くなる傾向がある。従って、運動中の血中成分濃度の変化に相関する指標としては、汗中成分濃度よりも、汗中成分濃度と発汗速度の積で表現される汗中成分分泌速度、分泌量で表現することが好ましい。しかしながら現状の発汗速度計測装置には、以下に述べる課題がある。
非特許文献１の装置を用いた場合、汗と反応して着色する染料が設けられており、どの程度汗が流路に侵入したかを目視で確認することができるが、目視での判別のため、発汗速度を経時的に把握する目的に対しては、計測される発汗速度の正確性に劣るという課題がある。
運動負荷中の発汗速度は、運動強度、運動環境、及び運動開始からの時間等の影響を受け、運動中に大きく変化することが知られている。このため、運動負荷中の発汗速度の変化を測定することは、運動中の生体挙動を把握するためには大変重要である。この場合、非特許文献１では正確な発汗速度の測定や発汗速度の連続測定ができないという課題がある。
【０００９】
運動負荷中の発汗速度を被験者に負担をかけずに測定するためには、測定装置として、腕時計型、リストバンド型、ベルト型等のウェアラブル機器の形態とすることが望ましい。しかしながら、特許文献１の気体吸引機構をウェアラブル機器に導入することは、消費電力の点で課題がある。また、発汗速度が大きく変化する運動時に用いる場合、湿度の変化量が大きく、発汗速度が大きい領域での感度や応答性の面で課題があった。
また、特許文献２の装置では、運動開始時からセンサーに汗が到達し、充満される間の発汗速度は測定可能であるが、センサー間を汗が満たした状態以降、発汗速度が変化した状況では、原理的に発汗速度の測定ができないという課題がある。
また、特許文献３の装置では、運動時の測定に適用してリアルタイムに情報を取得する場合には、装置を身体に装着するためのサイズ、装着性、消費電力の点で課題がある。
従って、身体に装着可能で、発汗状態に影響されずに発汗速度や汗中の特定成分濃度を確実にまた連続して測定できる生体情報計測装置が要望されていた。
【課題を解決するための手段】
【００１０】
本発明は、上述の課題の少なくとも一部を解決するためになされたものであり、以下の形態または適用例として実現することが可能である。
【００１１】
［適用例１］本適用例に係る生体情報計測装置は、汗を採取する採取部と、始端が採取部に連通して採取部で採取した汗を液滴化して流動すると共に終端が大気に開放される流路と、汗中の水分に吸収される波長の光を流路に照射する光源部と、流路を透過した光を受光する受光部と、受光部で受光した光の強度変化を所定時間ごとに検出し、所定時間に対応して流動した汗の量により発汗速度を算出する発汗速度処理部と、を備えていることを特徴とする。
【００１２】
本適用例に係る生体情報計測装置によれば、採取部、流路、光源部、受光部、および発汗速度処理部を備えている。採取部に採取された汗は流路を始端から終端に向けて流動する。そして、光源部により汗中の水分に吸収される波長の光を流路に照射し、受光部で流路を透過した光を受光する。そして、発汗速度処理部により、受光部で受光した光の強度変化を所定時間ごとに検出し、所定時間に対応して流動した汗の量により発汗速度を算出する。このように、汗中の水分に吸収される波長の光を用いることで、光の強度変化を確実に検出できるため、汗の有無を確実に判断することが可能となる。また、所定時間ごとに光の強度変化を検出し、所定時間に流動した汗の量により発汗速度を算出するため、発汗速度が大きく変化する運動時であっても発汗状態に影響されずに、発汗速度を確実に算出することが可能となる。また、所定時間ごとに発汗速度を算出するため、発汗速度を正確に、連続して計測することができる生体情報計測装置を実現することができる。
【００１３】
［適用例２］上記適用例に記載の生体情報計測装置において、光源部は流路に沿って所定間隔で設置される光源素子を有し、受光部は光源素子のそれぞれの光を検出する受光素子を有し、発汗速度処理部は、所定時間ごとに所定間隔の位置での光の強度変化を検出して汗の有無を判断する汗位置判断部と、前回汗が検出された位置から次に汗が検出された位置までの流路長に対応する汗の量、および前回の位置から次の位置を検出するまでの経過時間により、発汗速度を算出する発汗速度算出部と、を有することが好ましい。
【００１４】
本適用例に係る生体情報計測装置によれば、光源部と受光部とは流路に沿って所定間隔で設置される光源素子と受光素子とを有している。また、発汗速度処理部は汗位置判断部と発汗速度算出部とを有している。そして、汗位置判断部は、所定時間ごとに所定間隔の位置での光の強度変化に基づいて、所定間隔の位置での汗の有無を判断することで汗の位置を判断する。そして、発汗速度算出部は、前回汗が検出された位置から次に汗が検出された位置までの流路長に対応する汗の量を、前回の位置から次の位置を検出するまでの経過時間で除算することで発汗速度を確実に算出することができる。この場合、前回の位置と今回の位置とは、所定間隔で位置が設定されているため流路長が算出できる。そして、この流路長と既定の流路断面との乗算により汗の量が算出される。また、所定時間ごとに検出しているため前回の位置から次の位置を検出するまでに要した時間が算出される。これにより、移動した汗の量を経過時間で除算することで発汗速度を確実に算出することができる。従って、所定時間ごとに、汗の有無による汗の位置を判断して発汗速度を算出することにより、発汗速度を連続して計測することができる生体情報計測装置を実現することができる。
【００１５】
［適用例３］上記適用例に記載の生体情報計測装置において、流路に照射する光は、近赤外光であることが好ましい。
【００１６】
本適用例に係る生体情報計測装置によれば、赤外光の中でも透過率が高く、汗中の水分に吸収される赤外光の量が多い近赤外光を用いることで、強度変化を大きくさせる（受光素子の出力を顕著にさせる）ことができる。従って、強度変化を容易に、また確実に検出することができる。更に、近赤外光は、他の赤外光とは異なり加熱作用がないため、熱による汗成分への影響を考慮する必要がなく、生体情報計測装置の利便性が向上する。
【００１７】
［適用例４］上記適用例に記載の生体情報計測装置において、流路は複数の屈曲部を備えていることが好ましい。
【００１８】
本適用例に係る生体情報計測装置によれば、流路は、複数の屈曲部を備えていることにより、流路長を長くすることができると共に、コンパクトに構成することができる。これにより、発汗速度を長時間計測することが可能となり、また、生体情報計測装置の小型化を図ることができる。
【００１９】
［適用例５］上記適用例に記載の生体情報計測装置において、流路から分岐した流路に設置され、汗に含まれる特定成分の濃度を算出するための情報を検出する成分濃度検出部と、成分濃度検出部で検出した情報により濃度を算出する成分濃度処理部と、を備えていることが好ましい。
【００２０】
本適用例に係る生体情報計測装置によれば、成分濃度検出部は、流路から分岐した新たな流路に設置されるため、発汗速度の測定には影響を与えることがなく、特定成分の濃度を算出するための情報を検出する。また、成分濃度処理部により、成分濃度検出部で検出した情報により汗に含まれる特定成分の濃度を算出することができる。
【００２１】
［適用例６］上記適用例に記載の生体情報計測装置において、発汗速度および特定成分の濃度により、特定成分の分泌速度を算出する分泌速度処理部を更に備えていることが好ましい。
【００２２】
本適用例に係る生体情報計測装置によれば、分泌速度処理部で、発汗速度および特定成分の濃度に基づき特定成分の分泌速度を知ることができる。これにより、例えば、特定成分の分泌量を運動強度の目安とすることができ、運動強度を適正に調整することが可能となる。また、汗に分泌された乳酸の分泌速度を知ることで、血液中の乳酸の分泌速度を推定することができるため、生体情報計測装置の利便性が向上する。
【００２３】
［適用例７］上記適用例に記載の生体情報計測装置において、特定成分は乳酸であることが好ましい。
【００２４】
本適用例に係る生体情報計測装置によれば、特定成分として乳酸の分泌速度（分泌量）を知ることができる。これにより、例えば、得られた乳酸の分泌速度と血中乳酸濃度との比較により、運動強度を決める目安とすることが可能となる。特に、持久力競技（長距離走、自転車、クロスカントリースキー等）において、持久力を効率的に強化することに有用な情報を提供することができる。
【００２５】
［適用例８］上記適用例に記載の生体情報計測装置において、特定成分はナトリウムを含んでいることが好ましい。
【００２６】
本適用例に係る生体情報計測装置によれば、特定成分としてナトリウムの分泌速度（分泌量）を知ることができる。例えば、運動中に、汗中のナトリウムの分泌量を知ることで、血液中の塩分濃度の不足を知ることができるため、塩分の補給を促すことで、適正な運動強度を維持させることができる。
【００２７】
［適用例９］上記適用例に記載の生体情報計測装置において、採取部を皮膚表面に固定する固定部を備えていることが好ましい。
【００２８】
本適用例に係る生体情報計測装置によれば、固定部により採取部を皮膚表面に固定するため、安定して汗を採取することができる。
【図面の簡単な説明】
【００２９】
【図１Ａ】第１実施形態に係る生体情報計測装置の正面図。
【図１Ｂ】生体情報計測装置の背面図。
【図１Ｃ】生体情報計測装置の側面図。
【図２Ａ】生体情報計測装置の要部の構成を示す平面図。
【図２Ｂ】生体情報計測装置の要部の構成を示す断面図。
【図３】生体情報計測装置の概略の回路構成を示すブロック図。
【図４Ａ】生体情報計測装置の初期動作を示すフローチャート。
【図４Ｂ】生体情報計測装置の通常動作を示すフローチャート。
【図５Ａ】流路内の汗の流れと設定された位置との関係を示す図。
【図５Ｂ】流路内の汗の流れと設定された位置との関係を示す図。
【図５Ｃ】流路内の汗の流れと設定された位置との関係を示す図。
【図５Ｄ】流路内の汗の流れと設定された位置との関係を示す図。
【図６】第２実施形態に係る生体情報計測装置の通常動作を示すフローチャート。
【発明を実施するための形態】
【００３０】
以下、本発明の実施形態について、図面を参照して説明を行う。なお、以下の各図においては、説明の便宜上、各部材の尺度を実際とは異ならせて図示している。
【００３１】
〔第１実施形態〕
図１Ａは、本施形態に係る生体情報計測装置１の正面図である。図１Ｂは、生体情報計測装置１の背面図である。図１Ｃは、生体情報計測装置１の側面図である。
生体情報計測装置１は、バンド２を備え、ケース３には、汗から得られた各種情報（後述する、発汗速度、特定成分（乳酸）の濃度、特定成分（乳酸）の分泌速度等）を文字や数字、グラフ、アイコン等によって表示するための表示パネル等からなる表示部４が設置されている。
【００３２】
また、ケース３の側面には生体情報計測装置１を操作するための操作ボタン等の操作部５が設置されている。生体情報計測装置１は、例えば内蔵する二次電池を電源として動作する。ケース３の側面には、外部の充電器と接続されて、二次電池を充電するための充電端子６が設置されている。
【００３３】
ケース３の背面には、使用者の汗を採取する採取部１０が設置されている。採取部１０は、固定部としてのバンド２により、使用者の手首Ｗの皮膚表面Ｓに接触して固定され、発汗する汗を採取部１０の内部に導入する。また、ケース３の側面には、汗排出機構部６０が設置され、採取部１０から導入した汗が後述する流路２０（２０Ａ）を流動した後に生体情報計測装置１から排出される。
【００３４】
図２Ａは、生体情報計測装置１の要部の構成を示す平面図である。図２Ｂは、生体情報計測装置１の要部の構成を示す断面図である。
【００３５】
図２Ａ、図２Ｂに示すように、生体情報計測装置１は、採取部１０、流路２０、光源部３０、受光部４０、成分濃度検出部５０、汗排出機構部６０等により構成されている。採取部１０は、概円錐形状に構成され、生体情報計測装置１を使用者の手首Ｗに装着した場合、使用者の皮膚表面Ｓに当接する。採取部１０に囲まれ、皮膚表面Ｓで発汗した汗蒸気９が採取部１０の内部に溜まる。
【００３６】
採取部１０の天部には、管状に形成される流路２０の始端２０ａが接続されている。流路２０は、始端２０ａの近くで２方向に分岐される。分岐された一方の流路２０Ａは、複数の屈曲部２１を備えて形成され、終端２０ｂで汗排出機構部６０に接続する。なお、屈曲する流路２０Ａは、背面側のケース３に略平行、言い換えると、皮膚表面Ｓに生体情報計測装置１を装着した場合、皮膚表面Ｓに略平行となるように形成されている。分岐された他方の流路２０Ｂは成分濃度検出部５０に接続し、終端２０ｂで汗排出機構部６０に接続している。採取部１０に溜まった汗蒸気９は、始端２０ａの近くで毛管凝縮現象により液滴化して汗８となり、発汗する汗蒸気９の圧力および毛細管現象等により、流路２０内を終端２０ｂ、成分濃度検出部５０に向けて流動する。
【００３７】
光源部３０は、流路２０Ａに相対して設置される。光源部３０は、ライン光源で構成され、屈曲する流路２０Ａを横断する形態で設置されている。ライン光源には流路２０Ａに対向する部位に、光源素子３１がそれぞれ設置されている。本実施形態では、光源素子３１は近赤外光を射出する。詳細には、光源素子３１は、本実施形態では、ピークの発光波長が１４５０ｎｍの赤外光ＬＥＤ（Light Emitting Diode）を用いている。従って、光源部３０（光源素子３１）は、１４５０ｎｍに発光波長のピークを持つ近赤外光を流路２０Ａに向けて射出する。
【００３８】
波長が、１４５０ｎｍまたは１９４０ｎｍの近赤外光は、水に吸収される量が他の波長の近赤外光に比べて多く、後述する受光素子４１の出力が顕著に現れるため、汗８の有無を確実に判断するデータを得ることができる。なお、本実施形態では、１４５０ｎｍに発光波長のピークを持つ赤外光ＬＥＤを用いているが、１９４０ｎｍに発光波長のピークを持つ赤外光ＬＥＤを用いてもよい。
【００３９】
上述したように、１４５０ｎｍに発光波長のピークを持つ赤外光を汗８に照射した場合、汗８に含まれる水が１４５０ｎｍの波長の赤外光を吸収し、汗８を透過した赤外光は照射された赤外光に比べて強度が下がる。つまり、汗８が流路２０内に無いときには赤外光の強度は低下せず、汗８が流路２０内に有るときには赤外光の強度は低下する。
【００４０】
受光部４０は、光源部３０に相対して流路２０Ａを挟んで設置される。受光部４０は、ラインセンサーで構成され、屈曲する流路２０Ａを横断する形態で設置されている。ラインセンサーには流路２０Ａに対向する（光源素子３１に対向する）部位に、受光素子４１がそれぞれ設置され、光源素子３１のそれぞれの光を検出する。本実施形態では、受光素子４１は、１４５０ｎｍ付近の波長に高い感度を持つフォトダイオードを用いている。従って、受光部４０（受光素子４１）は、光源部３０（光源素子３１）から射出されて流路２０Ａを透過した近赤外光を感度よく受光する。
【００４１】
なお、本実施形態では、光源部３０を構成する１つのライン光源には、５つの光源素子３１が設置されている。このライン光源が本実施形態では合計で５つ設置される。また、本実施形態では、受光部４０を構成する１つのラインセンサーには、５つの受光素子４１が設置されている。このラインセンサーが本実施形態では合計で５つ設置される。
【００４２】
成分濃度検出部５０は、分岐した流路２０Ｂに接続されている。成分濃度検出部５０は、汗８に含まれる特定成分の濃度を算出するための情報を検出する。本実施形態の成分濃度検出部５０には、内部に刺激応答性ゲル５１が設置されている。刺激応答性ゲル５１は、本実施形態では、汗中の特定成分としての乳酸の濃度を検出する。
【００４３】
刺激応答性ゲル５１は、汗８に含まれる特定成分に対して応答する薬剤を含むゲル状のものである。刺激応答性ゲル５１の構成材料は特に限定されないが、本実施形態では、例えば、架橋構造を有する高分子材料と、溶媒とを含む材料等で構成されており、高分子材料が汗に対して応答する薬剤となっている。
【００４４】
なお、刺激応答性ゲル５１はポリマー鎖を有している。このポリマー鎖にはボロン酸基が多く含有されている。刺激応答性ゲル５１に乳酸が反応しない場合、ボロン酸基同士が結合しポリマー鎖が接近した状態となっている。これにより、刺激応答性ゲル５１は収縮した状態となっている。刺激応答性ゲル５１の周囲に乳酸を含む汗成分が存在する場合、ボロン酸基と乳酸とが結合することにより、ポリマー鎖が解離した状態となるため、刺激応答性ゲル５１の体積が膨張する。体積が膨張することにより導電率が変化する。このため、刺激応答性ゲル５１の導電率を計測することにより、汗中の特定成分（乳酸）の量を導電率の変化として容易に計測することができる。
【００４５】
汗排出機構部６０は、流路２０Ａを流動した汗８、および成分濃度検出部５０を経由した汗８をケース３の側面から外部に排気する働きを有している。汗排出機構部６０には、内部に多孔質部材６１が設置されており、表面積を拡大させることにより汗８を蒸発させる。
【００４６】
図３は、生体情報計測装置１の概略の回路構成を示すブロック図である。
図３に示すように、生体情報計測装置１は、生体情報計測装置１の全体の動作を統括制御する制御部７０（いわゆるＣＰＵ（Central Processing Unit））および各種情報を記憶する記憶部８０を備えている。また、生体情報計測装置１は、光源駆動部９３、受光量測定部９４、Ａ/Ｄ変換部９５、導電率測定部９６、Ａ/Ｄ変換部９７、表示部４、および操作部５を備えている。光源駆動部９３、受光量測定部９４、Ａ/Ｄ変換部９５、導電率測定部９６、Ａ/Ｄ変換部９７、表示部４、および操作部５は、入出力インターフェイス９２およびデータバス９１を介して制御部７０に接続されている。
【００４７】
光源駆動部９３は、所定時間ごとに光源部３０（光源素子３１）に電圧を印加して光源素子３１を駆動する。光源駆動部９３は全ての光源素子３１に電圧を印加する。光源素子３１は、光源駆動部９３の動作により所定時間ごとに近赤外光を流路２０に向けて射出する。本実施形態では、所定時間はタイマー（図示省略）により計測されており、所定時間（後述する第２所定時間）として３分としている。しかし所定時間は３分には限定されず、適宜設定することができる。
【００４８】
受光量測定部９４は、流路２０を透過した近赤外光を受光部４０（受光素子４１）で受光させる。そして、Ａ/Ｄ変換部９５は、受光素子４１で受光した光量（電流）をアナログ増幅部（図示省略）で電圧に変換して増幅した信号を、デジタルの信号に変換して出力する。
【００４９】
記憶部８０にはプログラム８１、および光量相関表８２、汗量相関表８３等を記憶する記憶領域が設定されている。プログラム８１には、生体情報計測装置１の動作の制御手順が記述されている。
【００５０】
光量相関表８２には、流路２０内に汗８が無い状態で近赤外光を透過させた際に、受光素子４１が受光する近赤外光の強度を基準の強度（光量）として記憶している。従って、検出した近赤外光の強度が基準の強度と比較して変化（強度変化）が有るか否かにより、流路２０内の汗８の有無を判断する。
【００５１】
汗量相関表８３には、流路２０に設定される所定区間ごとの汗量データが記憶されている。従って、所定間隔の位置での汗８の有無を判断することで汗８の位置が判断された場合に、この位置と前回判断された位置との間の汗量を算出することができる。
【００５２】
また、記憶部８０には、後述する導電率相関表８４の他、制御部７０のためのワークエリアやテンポラリーファイル等として機能する記憶領域やその他各種の記憶領域が設定されている。
【００５３】
制御部７０は、記憶部８０内に記憶されたプログラム８１を実行することで、発汗速度を算出する制御を行う。詳細には、制御部７０は処理部としての発汗速度処理部７１を有する。また発汗速度処理部７１は、汗位置判断部７１Ａと発汗速度算出部７１Ｂとを有する。
【００５４】
汗位置判断部７１Ａは、光量相関表８２と検出された光量とにより、流路２０において、所定間隔の位置での汗８の有無の判断と、汗８が有りとして判断された場合の汗８の位置とを判断する。
【００５５】
汗位置判断部７１Ａによる汗８の有無の判断の仕方は以下の通りである。
光量相関表８２に記憶される基準の強度（光量）に比べ、検出された光量が少ない（強度が下がる）場合には、検出した位置での流路２０内には汗８が有ると判断する。また、基準の強度（光量）に比べ、検出された光量が同じ（強度に変化が無い）場合には、検出した位置での流路２０内には汗８が無いと判断する。
【００５６】
そして、汗位置判断部７１Ａによる汗８の位置の判断の仕方は以下の通りである。
光量の検出が流路２０に設定される所定間隔ごと（言い換えると、光源素子３１が設置される位置ごと）に行われるため、汗８が有りと判断された所定間隔での位置を汗８の位置として判断する。なお、有りと判断された位置が複数ある場合には、最も下流側となる位置を汗８の位置として判断する。
【００５７】
なお、流路２０の所定間隔の位置において、汗８が有りとして判断され、また、最も下流側となる位置を、以降では、「汗８の位置」または「汗８の先端部に対応する位置」と適宜言い換えて説明する。
【００５８】
発汗速度算出部７１Ｂは、汗量相関表８３と、汗８の位置（前回の汗８の位置と今回の汗８の位置）と、経過時間（前回の汗８の位置から今回の汗８の位置を検出するまでの時間）とから、発汗速度を算出する。詳細には、汗量相関表８３により、前回検出された汗８の位置から、次に検出された汗８の位置までの汗量を算出する。なお、汗量相関表８３を用いない場合には、前回検出された汗８の位置から、次に検出された汗８の位置までの流路長を求め、既定の流路断面積を乗算することで汗量を算出することができる。また、前回の汗８の位置から次の汗８の位置を検出するまでの経過時間を求める。そして、算出した汗量を経過時間で除算することにより、発汗速度を算出する。
【００５９】
次に、導電率測定部９６は、成分濃度検出部５０を構成する刺激応答性ゲル５１に設置された一対の電極５２に対し、電圧を印加して電極５２間に流れる電流を検出する。導電率測定部９６が電極５２に出力する電圧値は、制御部７０が制御している。なお、導電率測定部９６は、光源駆動部９３に同期して３分を所定時間として動作する。
【００６０】
刺激応答性ゲル５１は、刺激応答性ゲル５１に含まれる乳酸濃度に応じて導電率が変化する特性を有している。従って、導電率測定部９６は、刺激応答性ゲル５１に流れる電流、または抵抗値を検出することにより乳酸濃度に対応した導電率を検出する。Ａ/Ｄ変換部９７は、導電率測定部９６が検出した刺激応答性ゲル５１の導電率をデジタルの信号に変換して出力する。
【００６１】
記憶部８０にはプログラム８１および導電率相関表８４等を記憶する記憶領域が設定されている。プログラム８１には、生体情報計測装置１の動作の制御手順が記述されている。導電率相関表８４には、刺激応答性ゲル５１の導電率と乳酸濃度との関係を示すデータが記憶されている。
【００６２】
制御部７０は、記憶部８０内に記憶されたプログラム８１を実行することで、乳酸濃度を測定する制御を行う。詳細には、制御部７０は処理部としての成分濃度処理部７２を有する。成分濃度処理部７２は、導電率相関表８４とＡ/Ｄ変換部９７から入力する導電率とにより、乳酸濃度を算出する。
【００６３】
制御部７０は、更に分泌速度処理部７３を有している。分泌速度処理部７３は、発汗速度処理部７１で算出された発汗速度と、成分濃度処理部７２で算出された乳酸濃度とから乗算により、乳酸の分泌速度（乳酸量）を算出する。
【００６４】
制御部７０は、上述した他に、発汗速度処理部７１が算出した発汗速度や、成分濃度処理部７２が算出した乳酸濃度や、分泌速度処理部７３が算出した乳酸の分泌速度等を、表示部４に出力する制御を行う。また、制御部７０は、推移する発汗速度、乳酸濃度、乳酸の分泌速度を順次算出し、表示部４にその値の推移を示すグラフ等を表示させる。また、制御部７０は、操作部５から入力された信号に応じて、生体情報計測装置１の動作を制御する。
【００６５】
使用者は、表示部４を見て、発汗速度、乳酸濃度、乳酸の分泌速度、および、これらの値の推移を確認することで、現在の人体（血液）の状態、および、これまでの推移を認識することができる。
【００６６】
図４Ａは、生体情報計測装置１の初期動作を示すフローチャートである。図４Ｂは、生体情報計測装置１の通常動作を示すフローチャートである。図５Ａ〜図５Ｄは、流路２０（２０Ａ）内の汗８の先端部と所定間隔で設定される位置との関係を示す図である。図４Ａ、図４Ｂ、図５Ａ〜図５Ｄを参照して生体情報計測装置１の動作を説明する。
【００６７】
生体情報計測装置１を皮膚表面Ｓに装着して、動作を開始させた場合、生体情報計測装置１は、図４Ａに示すように、初期動作として、流路２０において、汗８の先端部に対応する位置（汗８の位置）を判断する動作を行う。言い換えると、生体情報計測装置１を皮膚表面Ｓに設置した後、通常動作を行うために必要となる流路２０における基準となる汗８の位置を判断する。
【００６８】
図４Ａを参照して、生体情報計測装置１の初期動作の流れを説明する。
生体情報計測装置１を皮膚表面Ｓに装着した後、使用者による操作部５の操作により、電源が投入される（スイッチＯＮ：ステップＳ１０１）。電源が投入された場合、タイマーが計測を開始する（ステップＳ１０２）。本実施形態では、タイマーは第１の所定時間として１分に設定されている。従って、ステップＳ１０３において、第１の所定時間（１分）を経過したか否かを判定する。なお、第１の所定時間は、適宜設定することでよい。
【００６９】
第１の所定時間を経過しない場合（ステップＳ１０３：ＮＯ）には、ステップＳ１０３を繰り返す。第１の所定時間を経過した場合（ステップＳ１０３：ＹＥＳ）には、ステップＳ１０４に移行する。
【００７０】
ステップＳ１０４では、受光量の検出を行う。制御部７０は、光源駆動部９３を駆動させる。光源駆動部９３は、全ての光源素子３１を発光させ、近赤外光を流路２０（２０Ａ）に照射させる。そして、制御部７０は、受光量測定部９４を駆動させる。受光量測定部９４は、受光素子４１により、流路２０を透過した近赤外光を受光する。受光素子４１で受光したデータは、Ａ/Ｄ変換部９５によりデジタル信号に変換されて、制御部７０に送られた後、ステップＳ１０５に移行する。
【００７１】
ステップＳ１０５では、汗８の有無を判断する。制御部７０（汗位置判断部７１Ａ）は、光量相関表８２と検出された光量とにより、流路２０内の汗８の有無の判断を行う。なお、汗８の有無の判断は、光量相関表８２に記憶される基準の強度（光量）に比べ、検出された光量が少ない場合には、流路２０内に汗８が有ると判断し、検出された光量が同じ場合には、流路２０内に汗８が無いと判断する。
【００７２】
次に、ステップＳ１０６に移行し、流路２０に汗８が無いとして判断された場合（ステップＳ１０６：ＮＯ）、ステップＳ１０３に移行する。流路２０に汗８が有るとして判断された場合（ステップＳ１０６：ＹＥＳ）、ステップＳ１０７に移行する。
【００７３】
ステップＳ１０７では、汗８の先端部に対応する位置（汗８の位置）を判断する。なお、光量の検出は、流路２０に設定される所定間隔ごとに行われるため、汗位置判断部７１Ａは、汗８が有りと判断された所定間隔での位置を汗８の先端部に対応する位置として判断する。なお、有りと判断された位置が複数ある場合には、最も下流側となる位置を汗８の先端部に対応する位置として判断する。
【００７４】
以上により、生体情報計測装置１の初期動作が終了する。なお、初期動作により得られた汗８の先端部に対応する位置（汗８の位置）は記憶部８０に記憶され、以降の通常動作における汗８の基準の位置となる。
【００７５】
次に、図４Ｂを参照して、生体情報計測装置１の通常動作の流れを説明する。
制御部７０は、初期動作を終了した後、通常動作に移行して、新たにタイマーによる計測をスタートさせる（タイマースタート：ステップＳ２０１）。本実施形態では、タイマーは第２の所定時間として３分に設定されている。従って、ステップＳ２０２において、第２の所定時間（３分）を経過したか否かを判定する。
【００７６】
第２の所定時間を経過しない場合（ステップＳ２０２：ＮＯ）には、ステップＳ２０２を繰り返す。第２の所定時間を経過した場合（ステップＳ２０２：ＹＥＳ）には、ステップＳ２０３に移行する。
【００７７】
ステップＳ２０３では、受光量の検出を行う。制御部７０は、ステップＳ１０４と同様に、光源駆動部９３を駆動させて全ての光源素子３１を発光させ、近赤外光を流路２０（２０Ａ）に照射させる。そして、制御部７０は、受光量測定部９４を駆動させる。受光量測定部９４は、受光素子４１により、流路２０を透過した近赤外光を受光する。受光素子４１で受光したデータは、Ａ/Ｄ変換部９５によりデジタル信号に変換されて、制御部７０に送られた後、ステップＳ２０４に移行する。
【００７８】
ステップＳ２０４では、汗８の先端部に対応する位置（汗８の位置）を判断する。汗位置判断部７１Ａは、汗８が有りと判断された所定間隔での位置を汗８の先端部に対応する位置として判断する。なお、有りと判断された位置が複数ある場合には、最も下流側となる位置を汗８の先端部に対応する位置として判断する。そして、ステップＳ２０５に移行する。
【００７９】
ステップＳ２０５では、ステップＳ２０４で判断した汗８の位置が、前回の位置と異なっているか否かを判定する。異なっている（ステップＳ２０５：ＹＥＳ）場合にはステップＳ２０６に移行し、異なっておらず、前回の位置と同一である（ステップＳ２０５：ＮＯ）場合にはステップＳ２１２に移行する。
【００８０】
ステップＳ２１２では、ステップＳ２０３の受光量検出を行った回数（検出回数）の値をインクリメントする。初期的には１回として設定されているが、ステップＳ２０５で、前回の位置と異なっていないと判定された場合には、ステップＳ２１２で、＋１回、インクリメントされる。そして、ステップＳ２０２に移行して動作する。なお、本実施形態では、ステップＳ２０５により、判断した位置が前回の位置と異なると判断されるまで、インクリメントしながら、ステップＳ２０２からステップＳ２０５の動作を繰り返す。
【００８１】
なお、ステップＳ２０５において、判断した位置が前回の位置と異なっていると判定された汗８の位置は、記憶部８０に記憶される。なお、この位置は、次回の汗８の位置の基準となる。
【００８２】
ステップＳ２０６では、汗８が流動した汗量を算出する。発汗速度算出部７１Ｂは、汗量相関表８３により、ステップＳ２０４で判断した今回の汗８の先端部に対応する位置と、ステップＳ１０７で判断した前回の汗８の先端部に対応する位置との間の汗量を読み込む。なお、汗量相関表８３は、区間ごとの汗量が記述されている。なお、汗量相関表８３を用いない仕様の場合には、流路は所定距離で位置が設定されているため、区間の差（流路長）を求め、既知の値となる流路の断面積を読み込んで乗算することにより、汗量を算出することもできる。次に、ステップＳ２０７に移行する。
【００８３】
ステップＳ２０７では、受光量の検出を行った回数（検出回数）を読み込み、ステップＳ２０８に移行する。
【００８４】
ステップＳ２０８では、汗８の発汗速度を算出する。発汗速度算出部７１Ｂは、ステップＳ１０６で汗８が有りと判断した時から現在までの経過時間を算出する。具体的には、ステップＳ２０７で読み込んだ検出回数に、第２の所定時間（３分）を乗算した値が経過時間となる。そして、発汗速度算出部７１Ｂは、ステップＳ２０６で算出された汗量を経過時間で除算することにより発汗速度を算出する。
【００８５】
ここで、図５Ａ〜図５Ｄを参照して、通常動作において、流路２０（２０Ａ）内の実際の汗８の先端部の位置（Ａとする）と、流路２０に所定間隔で設定される位置（Ｐとする）と、の関係を説明する。なお、Ｐは、光源素子３１（受光素子４１）が設置される位置となる。また、Ｐ１からＰ５に向かって汗８は流動する。言い換えると、Ｐ１からＰ５に向かう方向が下流方向（下流側）となる。
【００８６】
図５Ａに示すように、前回の実際の汗８の先端部の位置ＡがＡn-1であった場合の先端部Ａn-1に対応する位置ＰをＰ１とする。ここで、所定時間（３分）が経過した場合の汗８の先端部がＡnであった場合、先端部Ａnに対応する位置ＰはＰ２となる。
【００８７】
ここで、図５Ａを例として、Ｐ２と判断する方法を説明する。ステップＳ２０４において、汗８の先端部に対応する位置Ｐを判断する場合、汗８が有りとして判断される位置Ｐを求める。この場合、汗８が有りとして判断される位置Ｐは、Ｐ１，Ｐ２の２つ（複数）となる。この場合、本実施形態では、最も下流側となる位置Ｐを先端部（先端部の位置Ａ）に対応する位置Ｐとして判断するため、先端部に対応する位置ＰはＰ２と判断される。その後、ステップＳ２０５において、Ｐ２が前回の位置（この場合、Ｐ１）と異なるかを判定することになる。
【００８８】
図５Ａにおいて、汗８が所定時間（３分）内に移動した距離は、実際にはＡn−Ａn-1となるが、本実施形態では、Ｐ２−Ｐ１の距離として対応させることになる。従って、Ｐ２とＰ１間に対応する汗量を汗量相関表８３から読み込み、また、Ｐ１からＰ２に至るまで（Ａn-1からＡnに至るまで）の経過時間を算出し、Ｐ１，Ｐ２間の汗量を経過時間（３分）で除算することで、発汗速度が算出される。
【００８９】
図５Ｂに示すように、前回の汗８の先端部がＡn-1であり、３分後（検出回数１回）に先端部がＡnとなった場合、前回と今回の先端部に対応する位置はＰ２とＰ４となる。従って、発汗速度は、Ｐ２とＰ４間の汗量を経過時間（３分）で除算することで算出される。
【００９０】
図５Ｃに示すように、前回の汗８の先端部がＡn-1であり、３分後にＡnとなった場合、前回と今回の先端部に対応する位置としては、どちらもＰ２となる。この場合、ステップＳ２０５において、判断した位置（Ｐ２）が前回の位置（Ｐ２）と異ならない（ステップＳ２０５：ＮＯ）ため、ステップＳ２１２に移行する。そして、判断した位置Ｐが前回の位置Ｐと異なる（ステップＳ２０５でＹＥＳとなる）まで、インクリメントしながら、ステップＳ２０２からステップＳ２０５の動作を繰り返す。
【００９１】
図５Ｄに示す図は、図５Ｃでの汗８の流動が維持された場合における図を示している。
図５Ｄに示すように、汗８の先端部が、前回のＡnから、所定時間の３分（インクリメント１回）経過後に今回、Ａn+1となった場合、前回と今回の先端部に対応する位置としては、Ｐ２とＰ４となる。この場合、発汗速度は、Ｐ２とＰ４間に対応する汗量を汗量相関表８３から読み込み、また、Ｐ２からＰ４に至るまで（Ａn-1からＡn+1に至るまで）の経過時間を算出し、Ｐ２，Ｐ４間の汗量を経過時間で除算することで、発汗速度が算出される。
【００９２】
具体的には、経過時間は、最初にステップＳ２０７において、検出回数を読み込む。この場合、インクリメントを１回行っているため、検出回数は２回となる。従って、経過時間は、３分×２回＝６分となる。従って、発汗速度は、Ｐ２，Ｐ４間の汗量を経過時間（６分）で除算した値となる。
【００９３】
ここで、図４Ｂに戻り、ステップＳ２０８で発汗速度を算出した後、ステップＳ２０９に移行して、特定成分としての乳酸に対する導電率の検出を行う。制御部７０は、導電率測定部９６を駆動して、刺激応答性ゲル５１に設置された一対の電極５２に対し、電圧を印加させ、電極５２間に流れる電流値を検出する。導電率測定部９６で検出した導電率は、Ａ/Ｄ変換部９７によりデジタル信号に変換されて制御部７０に送られる。
【００９４】
次に、ステップＳ２１０に移行して乳酸の濃度を算出する。成分濃度処理部７２は、導電率相関表８４と、Ａ/Ｄ変換部９７から入力する導電率とにより、乳酸濃度を算出する。
【００９５】
次に、ステップＳ２１１に移行して、乳酸の分泌速度を算出する。分泌速度処理部７３は、ステップＳ２０８で算出された発汗速度に、ステップＳ２１０で算出された乳酸の濃度を乗算することで、乳酸の分泌速度を算出する。
なお、ステップＳ２１１以降は、ステップＳ２０２に戻り、上述した動作を繰り返す。
【００９６】
そして、制御部７０は、算出された、発汗速度、乳酸の濃度、乳酸の分泌速度等のデータを、表示部４に表示する。また、これらの値の遷移をグラフ等で表示させることも行う。
【００９７】
上述した実施形態によれば、以下の効果が得られる。
本実施形態の生体情報計測装置１によれば、採取部１０、流路２０、光源部３０、受光部４０、および発汗速度処理部７１を備えている。採取部１０から採取された汗８は流路２０を始端２０ａから終端２０ｂに向けて流動する。そして、光源部３０により汗中の水分に吸収される近赤外光を流路２０に照射し、受光部４０で流路２０を透過した近赤外光を受光する。そして、発汗速度処理部７１により、受光部４０で受光した近赤外光の強度変化を所定時間ごとに検出し、所定時間に対応して流動した汗８の汗量により発汗速度を算出する。このように、汗中の水分に吸収される波長の近赤外光を用いることで、光の強度変化を確実に検出できるため、汗８の有無を確実に判断することが可能となる。また、所定時間ごとに光の強度変化を検出し、所定時間に流動した汗８の汗量により発汗速度を算出するため、発汗速度が大きく変化する運動時であっても発汗状態に影響されずに、発汗速度を確実に算出することが可能となる。また、所定時間ごとに発汗速度を算出するため、発汗速度を正確に、連続して計測することができる生体情報計測装置１を実現することができる。
【００９８】
本適用例に係る生体情報計測装置１によれば、光源部３０と受光部４０とは流路２０に沿って所定間隔で設置される光源素子３１と受光素子４１とを有している。また、発汗速度処理部７１は汗位置判断部７１Ａと発汗速度算出部７１Ｂとを有している。そして、汗位置判断部７１Ａは、所定時間ごとに所定間隔の位置での光の強度変化に基づいて、所定間隔の位置での汗８の有無を判断することで汗８の位置を判断する。そして、発汗速度算出部７１Ｂは、前回汗８が検出された位置から次に汗８が検出された位置までの流路長に対応する汗量を、前回の位置から次の位置を検出するまでの経過時間で除算することで発汗速度を確実に算出することができる。この場合、前回の位置と今回の位置とは、所定間隔で位置が設定されているため流路長が算出できる。そして、この流路長と既定の流路断面との乗算により汗量が算出される。また、所定時間ごとに検出しているため前回の位置から次の位置を検出するまでに要した時間が算出される。これにより、汗量を経過時間で除算することで発汗速度を確実に算出することができる。従って、所定時間ごとに、汗８の有無による汗８の位置を判断して発汗速度を算出することにより、発汗速度を連続して計測することができる生体情報計測装置１を実現することができる。
【００９９】
本実施形態の生体情報計測装置１によれば、赤外光の中でも透過率が高く、汗中の水分に吸収される赤外光の量が多い近赤外光を用いることで、強度変化を大きくさせる（受光素子４１の出力を顕著にさせる）ことができる。従って、強度変化を容易に、また確実に検出することができる。更に、近赤外光は、他の赤外光とは異なり加熱作用がないため、熱による汗成分への影響を考慮する必要がなく、生体情報計測装置１の利便性が向上する。
【０１００】
本実施形態の生体情報計測装置１によれば、流路２０（２０Ａ）は、複数の屈曲部２１を備えていることにより、流路長を長くすることができると共に、コンパクトに構成することができる。これにより、発汗速度を長時間計測することが可能となり、また、生体情報計測装置１の小型化を図ることができる。
【０１０１】
本実施形態の生体情報計測装置１によれば、成分濃度検出部５０は、流路２０から分岐した新たな流路２０Ｂに設置されるため、発汗速度の測定には影響を与えることがなく、特定成分としての乳酸の濃度を算出するための情報（誘電率）を検出する。汗８が単位時間あたりに発汗速度計測部に移動する量をＡ、汗中成分濃度計測部に移動する量をＢとすると、ＡとＢの比が一定になるように流路抵抗を設計する。また、成分濃度処理部７２により、成分濃度検出部５０で検出した誘電率により汗８に含まれる乳酸の濃度を算出することができる。
【０１０２】
本実施形態の生体情報計測装置１によれば、分泌速度処理部７３で、発汗速度および乳酸の濃度に基づき乳酸の分泌速度を知ることができる。これにより、例えば、乳酸の分泌量を運動強度の目安とすることができ、運動強度を適正に調整することが可能となる。また、汗８に分泌された乳酸の分泌速度を知ることで、血液中の乳酸の分泌速度を推定することができるため、生体情報計測装置１の利便性が向上する。
【０１０３】
本実施形態の生体情報計測装置１によれば、特定成分として乳酸の分泌速度（分泌量）を知ることができる。これにより、例えば、得られた乳酸の分泌量と血中乳酸濃度との比較により、運動強度を決める目安とすることが可能となる。特に、持久力競技（長距離走、自転車、クロスカントリースキー等）において、持久力を効率的に強化することに有用な情報を提供することができる。
【０１０４】
本実施形態の生体情報計測装置１によれば、固定部としてのバンド２により、採取部１０を皮膚表面Ｓに固定するため、使用者がトレーニング中であっても安定して汗８を採取することができる。
【０１０５】
〔第２実施形態〕
図６は、本施形態に係る生体情報計測装置１の通常動作を示すフローチャートである。
本実施形態のフローチャートは、第１実施形態の図４Ｂに示す通常動作のフローチャートの一部を異ならせたものとなっている。言い換えると、第１実施形態のプログラム８１において、その一部分の処理の仕方が異なっている。その他の構成や初期動作のフローチャートなどは第１実施形態と同様となる。以降では、フローチャートの異なる部分を主に説明する。
【０１０６】
図６に示すように、本実施形態のフローチャートにおいて、第１実施形態の図４Ｂに示すフローチャートと異なる部分は、ステップＳ２０５，Ｓ２１２，Ｓ２０７が削除されていることである。その他のステップは第１実施形態と同様となる。
【０１０７】
具体的には、ステップＳ３０４（ステップＳ２０４に対応）において、汗８の先端部に対応する位置（汗８の位置）を判断した後、判断した位置が前回の位置と異なるか否かの判定（ステップＳ２０５）を削除している。これに伴い、ステップＳ２１２に対応する検出回数のインクリメントや、ステップＳ２０７に対応する検出回数の読み込みを削除している。従って、判断した位置が前回の位置と異ならない（前回の位置と同じ）場合にも、次に、ステップＳ３０５に移行して汗量を算出することになる。
【０１０８】
これにより、判断した位置が前回の位置と異ならない場合には、ステップＳ３０５に移行して汗量を算出した場合、汗量は０（ゼロ）となり、次に、ステップＳ３０６に移行して発汗速度を算出した場合、発汗速度も０（ゼロ）となる。ステップＳ３０９において、分泌速度も０（ゼロ）となる。
【０１０９】
上記の内容を、図５Ｃ、図５Ｄを例として説明する。
図５Ｃに示すように、前回の汗８の先端部がＡn-1であり、３分後にＡnとなった場合、前回と今回の先端部に対応する位置Ｐとしては、どちらもＰ２となる。この場合、発汗速度は、汗量に変化が無い（汗量は０（ゼロ））ということで、発汗速度は０（ゼロ）となる。
【０１１０】
図５Ｄに示す図は、第１実施形態と同様に、図５Ｃでの汗８の流動が維持された場合における図を示しているものとする。
図５Ｄに示すように、汗８の先端部が、前回のＡnから、所定時間の３分経過後に今回、Ａn+1となった場合、前回と今回の先端部に対応する位置Ｐとしては、Ｐ２とＰ４となる。この場合、発汗速度は、Ｐ２，Ｐ４間の汗量を経過時間（３分）で除算することで算出される。その後は、ステップＳ３０７以降の処理が行われる。
なお、上述した実施形態によれば、第１実施形態での効果を同様に奏することができる。
【０１１１】
本発明は上述した実施形態に限定されず、上述した実施形態に種々の変更や改良などを加えることが可能である。変形例を以下に述べる。
【０１１２】
上記各実施形態では、成分濃度検出部５０は、汗中の特定成分としての乳酸の濃度や分泌速度を検出している。しかし、特定成分としてのナトリウムの濃度や分泌速度を検出することでもよい。これにより、特定成分としてナトリウムの分泌速度（分泌量）を知ることができる。例えば、運動中に、汗中のナトリウムの分泌量を知ることで、血液中の塩分濃度の不足を知ることができるため、塩分の補給を促すことで、適正な運動強度を維持させることができる。
【０１１３】
上記各実施形態では、流路２０Ａは、背面側のケース３に略平行、言い換えると、皮膚表面Ｓに生体情報計測装置１を装着した場合、皮膚表面Ｓに略平行となるように形成されている。しかし、これに限られず、皮膚表面Ｓに略垂直となるように形成してもよい。この場合、光源部３０や受光部４０は、屈曲する流路２０Ａを跨ぐように流路２０Ａに相対させて配置することでよい。このような配置により、生体情報計測装置１の内部への、流路２０、光源部３０、受光部４０等の配置の自由度を向上させることができる。
【０１１４】
上記各実施形態において、成分濃度検出部５０は、乳酸の濃度を検出する際、刺激応答性ゲル５１に電極５２を設置して電極間の導電率を検出して濃度を検出している。しかしこれには限られず、刺激応答性ゲル５１に、例えばシリカ微粒子等の反射率の高い微粒子を含んで構成することで、乳酸が取り込まれた際には、粒子間隔の変化により構造色が変化することを利用し、色調の変化を検出することで、乳酸の濃度を検出することでもよい。
【０１１５】
上記各実施形態において、成分濃度検出部５０は、刺激応答性ゲル５１を用いて、汗中の特定成分としての乳酸の濃度を検出している。しかしこれに限られず、酵素センサーを用いて乳酸の濃度を検出することでもよい。
【０１１６】
上記各実施形態において、流路２０Ａは、複数の屈曲部２１を備えて屈曲した形態に構成されている。しかしこれに限られず、螺旋状（渦巻状）の形態に構成されることでもよい。このような形態によっても、流路長を長くすることができると共に、コンパクトに構成することができ、発汗速度を長時間計測することが可能となり、また、生体情報計測装置１の小型化を図ることができる。
【０１１７】
上記各実施形態において、流路２０は管状（中空の管）に構成されている。しかしこれに限られず、ガラス基板等の板状部材に対してエッチング加工やレーザー加工等を行うことで、溝を形成し、その溝をガラス基板等の板状部材で覆うように構成することで流路を構成してもよい。このように構成することにより、流路、光源部３０、受光部４０などの固定構造やユニット化が容易となる。また、小型化を更に図ることができる。
【０１１８】
上記各実施形態では、汗中の水分に吸収される波長の光として近赤外光を用いている。しかしこれに限られず、中間赤外光、遠赤外光、レーザー光等の光でもよい。
【０１１９】
上記各実施形態では、光源部３０としてライン光源を使用しているが、アレイ光源を使用しても良い。
【０１２０】
上記各実施形態では、受光部４０としてフォトダイオードを用いたラインセンサーで構成されている。しかし、このようなフォトダイオードをアレイ状に高密度に実装して用いることでもよい。
【０１２１】
上記各実施形態では、第２所定時間として３分としている。しかしこれに限られず、第２所定時間を３分以下に設定（例えば、１分）して発汗速度、成分濃度、分泌速度などを算出することにより、より連続的で確実で正確な検出を行うことができる。また、反対に第２所定時間を３分より長く設定してもよい。所定時間は、運動強度や発汗量等により適宜設定することでよい。
【０１２２】
上記各実施形態では、表示部４により、算出された発汗速度、乳酸の濃度、乳酸の分泌速度等のデータを表示している。しかしこれに限られず、音を出力する素子、光を射出する素子、振動を発生する素子等により構成される警報部を備えることでもよい。このような警報部を備えることで、例えば、トレーニング中の使用者に対して、乳酸分泌速度の変化量が高くなった場合などには、警報部を介して警報を発することで、使用者に注意を促すことができる。使用者はこの警報により、適正な運動強度を維持する等の対応を取ることができる。
【符号の説明】
【０１２３】
１…生体情報計測装置、２…バンド（固定部）、８…汗、１０…採取部、２０…流路、２０Ａ，２０Ｂ…流路、２０ａ…始端、２０ｂ…終端、２１…屈曲部、３０…光源部、３１…光源素子、４０…受光部、４１…受光素子、５０…成分濃度検出部、６０…汗排出機構部、７０…制御部、７１…発汗速度処理部、７１Ａ…汗位置判断部、７１Ｂ…発汗速度算出部、７２…成分濃度処理部、７３…分泌速度処理部、８０…記憶部、８１…プログラム、８２…光量相関表、８３…汗量相関表、８４…導電率相関表、９３…光源駆動部、９４…受光量測定部、９６…導電率測定部、Ｓ…皮膚表面。
【図１Ａ】
2017198577.tif 000003
【図１Ｂ】
2017198577.tif 000004
【図１Ｃ】
2017198577.tif 000005
【図２Ａ】
2017198577.tif 000006
【図２Ｂ】
2017198577.tif 000007
【図３】
2017198577.tif 000008
【図４Ａ】
2017198577.tif 000009
【図４Ｂ】
2017198577.tif 000010
【図５Ａ】
2017198577.tif 000011
【図５Ｂ】
2017198577.tif 000012
【図５Ｃ】
2017198577.tif 000013
【図５Ｄ】
2017198577.tif 000014
【図６】
2017198577.tif 000015